(57)【要約】      （修正有）【課題】構造が単純なことはもちろん、ほとんど連結用のパーツを必要としないで、誰でも簡単に組み立てることができる避難所用簡易型間仕切りを提供する。【解決手段】側端部分に複数の差込片を、上端部分に複数の突片を形成した第１の側面パーツ１１、およびその側端部分に前記差込片を差込可能な差込孔を、また上端部分に複数の突片を形成し、両側端部の突片２３ａをその内側に折畳み部２３ｂを備えたものとした第２の側面パーツ２１とを有し、また第１および第２の側面パーツ１１，２１の下部の接合部分に近接した位置には治具挿入部が設けてあり、前記第１および第２の側面パーツ上端の突片に差し込む差込孔をその周縁に設けた天板パーツと、前記側面パーツの内側に敷設される床パーツとを備え、前記各部材を組み付けるようにしたことを特徴として避難所用簡易型間仕切りを構成する。【選択図】図７
0003162088.tif 000002
【実用新案登録請求の範囲】
【請求項１】
側端部分に複数の差込片を、上端部分に複数の突片を形成した第１の側面パーツ、およびその側端部分に前記差込片を差込可能な差込孔を、また上端部分に複数の突片を形成し、両側端部の突片をその内側に折畳み部を備えたものとした第２の側面パーツとを有し、また第１および第２の側面パーツの下部の接合部分に近接した位置には治具挿入部が設けてあり、
前記第１および第２の側面パーツ上端の突片に差し込む差込孔をその周縁に設けた天板パーツと、
前記側面パーツの内側に敷設される床パーツとを備え、
前記第１の側面パーツと前記第２の側面パーツを、前記差込片を前記差込孔にはめ込んでＬ字形に組み付けた一対の組付けパーツを、前記第１の側面パーツと前記第２の側面パーツを、前記差込片を前記差込孔にはめ込んで四周の側壁を備えた壁体に組み付け、
また該壁体の上に突出する突片に天板パーツの差込孔をはめ込んで四周の側壁に前記天板パーツを組み付け、次いで前記天板パーツの両側端部の突片の折畳み部を内側に折畳んだ上、
前記第１の側面パーツと前記第２の側面パーツの近接した両側端部の突片どうしを治具で連結固定し、また下部の接合部分に近接した位置に設けた治具挿入部どうしを治具で連結固定したことを特徴とする避難所用簡易型間仕切り。
【請求項２】
前記第１および第２の側面パーツは、側面が閉鎖したタイプのものと、側面に開閉可能な扉を一体形成したタイプのものから選択できるようにしたことを特徴とする請求項１記載の避難所用簡易型間仕切り。
【請求項３】
前記第１および第２の側面パーツの下部の接合部分に近接した位置に設けた治具挿入部は、治具挿入孔からなり、該治具挿入孔にＬ字形治具の係合片をはめ込んで連結固定するようにしたことを特徴とする請求項１記載の避難所用簡易型間仕切り。
【請求項４】
前記第１の側面パーツと前記第２の側面パーツの近接した両側端部の突片は、Ｌ字形治具で連結固定するようにしたことを特徴とする請求項１記載の避難所用簡易型間仕切り。
【請求項５】
前記第１の側面パーツと前記第２の側面パーツを、前記差込片を前記差込孔にはめ込んで四周の側壁を備えた壁体は、その内側に床パーツを敷設するようにしたことを特徴とする請求項１記載の避難所用簡易型間仕切り。
【考案の詳細な説明】
【技術分野】
【０００１】
この考案は、避難所等において各人のプライバシーを守るために使用する避難所用簡易型間仕切りに関するものである。
【背景技術】
【０００２】
従来、この種の避難所用簡易型間仕切りにおいて段ボールを使用したものとしては、次のような先行技術が知られている。
特開２００３−１２９５９３号公報（特許文献１参照）、特開２００５−１３３５０８号公報（特許文献２参照）、特開２００６−３２８８３４号公報（特許文献３参照）には、段ボールからなる間仕切り板の連結構造が、実用新案登録第３１３７２５５号公報（特許文献４参照）には、複数の方形の段ボールパネルの縦方向の縁部を接合することで四方を壁材で包囲された部屋Ｒを構築する組み立て式の簡易組み立てハウスが、特開２００５−１３９８０２号公報（特許文献５参照）には、扉の開閉により外部空間と連通及び遮断できるようにした共有空間構造体が記載されている。
【先行技術文献】
【特許文献】
【０００３】
【特許文献１】特開２００３−１２９５９３号公報
【特許文献２】特開２００５−１３３５０８号公報
【特許文献３】特開２００６−３２８８３４号公報
【特許文献４】実用新案登録第３１３７２５５号公報
【特許文献５】特開２００５−１３９８０２号公報
【考案の概要】
【考案が解決しようとする課題】
【０００４】
しかしながら、前記いずれの段ボールを使用した避難所用簡易型間仕切りにおいても、構造が単純なことはもちろん、ほとんど連結用のパーツを必要としないで、誰でも簡単に組み立てることができる避難所用簡易型間仕切りを提供するものではなかった。
そこでこの考案は、構造が単純なことはもちろん、ほとんど連結用のパーツを必要としないで、誰でも簡単に組み立てることができる避難所用簡易型間仕切りを提供しようとするものである。
【課題を解決するための手段】
【０００５】
すなわちこの考案の避難所用簡易型間仕切りは、側端部分に複数の差込片を、上端部分に複数の突片を形成した第１の側面パーツ、およびその側端部分に前記差込片を差込可能な差込孔を、また上端部分に複数の突片を形成し、両側端部の突片をその内側に折畳み部を備えたものとした第２の側面パーツとを有し、また第１および第２の側面パーツの下部の接合部分に近接した位置には治具挿入部が設けてあり、
前記第１および第２の側面パーツ上端の突片に差し込む差込孔をその周縁に設けた天板パーツと、
前記側面パーツの内側に敷設される床パーツとを備え、
前記第１の側面パーツと前記第２の側面パーツを、前記差込片を前記差込孔にはめ込んでＬ字形に組み付けた一対の組付けパーツを、前記第１の側面パーツと前記第２の側面パーツを、前記差込片を前記差込孔にはめ込んで四周の側壁を備えた壁体に組み付け、
また該壁体の上に突出する突片に天板パーツの差込孔をはめ込んで四周の側壁に前記天板パーツを組み付け、次いで両側端部の突片の折畳み部を内側に折畳んだ上、
前記第１の側面パーツと前記第２の側面パーツの近接した両側端部の突片どうしを治具で連結固定し、また下部の接合部分に近接した位置に設けた治具挿入部どうしを治具で連結固定したことを特徴とするものである。
【０００６】
この考案の避難所用簡易型間仕切りは、前記第１および第２の側面パーツは、側面が閉鎖したタイプのものと、側面に開閉可能な扉を一体形成したタイプのものから選択できるようにしたことをも特徴とするものである。
【０００７】
この考案の避難所用簡易型間仕切りは、前記第１および第２の側面パーツの下部の接合部分に近接した位置に設けた治具挿入部は、治具挿入孔からなり、該治具挿入孔にＬ字形治具の係合片をはめ込んで連結固定するようにしたことをも特徴とするものである。
【０００８】
この考案の避難所用簡易型間仕切りは、前記第１の側面パーツと前記第２の側面パーツの近接した両側端部の突片は、Ｌ字形治具で連結固定するようにしたことをも特徴とするものである。
【０００９】
この考案の避難所用簡易型間仕切りは、前記第１の側面パーツと前記第２の側面パーツを、前記差込片を前記差込孔にはめ込んで四周の側壁を備えた壁体は、その内側に床パーツを敷設するようにしたことをも特徴とするものである。
【考案の効果】
【００１０】
この考案によれば、構造が単純なことはもちろん、ほとんど連結用のパーツを必要としないで、誰でも簡単に組み立てることができる避難所用簡易型間仕切りを提供することができるようになった。
また、ほとんどのパーツがシート状で積み重ねて搬送することができ、しかも分解が簡単で、組立・分解によって繰り返し使用することができる避難所用簡易型間仕切りの提供が可能である。
【図面の簡単な説明】
【００１１】
【図１】第１の側面パーツを示す展開図である。
【図２】第２の側面パーツを示す展開図である。
【図３】側面に開閉可能な扉を一体形成したタイプの第１の側面パーツを示す展開図である。
【図４】側面に開閉可能な扉を一体形成したタイプの第２の側面パーツを示す展開図である。
【図５】天板パーツを示す展開図である。
【図６】床パーツを示す展開図である。
【図７】前記第１および第２の側面パーツ上部の両側端部の突片の折畳み部を内側に折畳んだ状態の要部拡大斜視図である。
【図８】前記両側端部の突片の折畳み部を内側に折畳み、Ｌ字形治具を取り付けた状態の要部拡大斜視図である。
【図９】前記各側面パーツの下部の接合部分に近接した位置に設けた治具挿入孔どうしをＬ字形治具で連結固定した状態の要部拡大斜視図である。
【図１０】完成状態の斜視図である。
【考案を実施するための形態】
【００１２】
以下、この考案の避難所用簡易型間仕切りの実施の形態を図面に基いて説明する。
図１ないし図４にはこの考案の避難所用簡易型間仕切りにおける、第１の側面パーツ２２および第２の側面パーツ２１を示し、第１の側面パーツ１１は側端部分に複数の差込片１２を、上端部分に複数の突片１３を形成してある。
また、第２の側面パーツ２１は側端部分に前記差込片１２を差込可能な差込孔２２を、また上端部分に複数の突片２３を形成し、両側端部の突片２３ａをその内側に折畳み部２３ｂを備えている。
【００１３】
前記第１および第２の側面パーツ１１，２１は、図１および図２のような側面が閉鎖したタイプのものと、図３および図４のような、中央からちょうど左右に２分されるような形で開閉するいわゆる観音開き式の扉１５，２５を側面に一体形成したタイプのものから選択できるようになっている。
図ではこの扉１５，２５は左右の扉部材を閉じた際に上部がアーチ状となるように形成されているが、扉１５，２５の形状はこのようなアーチ状に限られるものではなく、強度や見栄え等の観点から適宜の形状とすることができる。また、扉１５，２５の上端部分や開閉操作において手で取り扱われる部分、他の部材との接触部分等を各種の補強材で補強しておくこともできる。
【００１４】
そして、前記第１の側面パーツ１１と前記第２の側面パーツ２１を、前記差込片１２を前記差込孔２２にはめ込んでＬ字形に組み付けて各一対の組付けパーツ１０，２０（図１０参照）とし、前記一対の組付けパーツ１０，２０の外側に位置する第１の側面パーツ１１と前記第２の側面パーツ２１を、前記差込片１２を前記差込孔２２にはめ込んで四周の側壁を備えた壁体に組み付ける。
なお、第１および第２の側面パーツ１１，２１の下部の接合部分に近接した位置には、矩形の治具挿入孔からなる治具挿入部１４，２４が設けてある。
【００１５】
図５は、前記第１および第２の側面パーツ１１，２１の上に取り付ける天板パーツ３１を示すもので、該天板パーツ３１はその周縁に、前記第１および第２の側面パーツ１１，２１上端の突片１３，２３に差し込む差込孔３２が設けてある。
図ではこの天板パーツ３１は２枚１組となっており、２枚の接合部位には差込孔３２は設けられていない。天板パーツ３１の４隅の差込孔３２ａは前記両側端部の突片２３ａに対応して長めに形成されている。
【００１６】
図６は、前記側面パーツ１１，２１による四周の側壁を備えた壁体の内側に敷設される床パーツ４１を示すものであり、前記天板パーツ３１と同様に２枚１組としてある。この例では前記床パーツ４１には前記側面パーツ１１，２１等との連結手段は設けてはいないが、連結構造や連結用の治具等を使用することは自由である。
【００１７】
この考案の避難所用簡易型間仕切りの組み立てに際しては、前述のように、前記第１の側面パーツ１１と前記第２の側面パーツ２１を、前記差込片１２を前記差込孔２２にはめ込んでＬ字形に組み付けて各一対の組付けパーツ１０，２０とし、前記一対の組付けパーツ１０，２０の外側に位置する第１の側面パーツ１１と前記第２の側面パーツ２１を、前記差込片１２を前記差込孔２２にはめ込んで四周の側壁を備えた壁体に組み付ける。
【００１８】
その後、前記壁体の上に突出する突片１３，２３に天板パーツ３１の差込孔３２をはめ込んで四周の側壁に前記天板パーツ３１を組み付ける。
次いで、図７のように前記第１の側面パーツ１１と前記第２の側面パーツ２１の近接した両側端部の突片２３ａの折畳み部２３ｂを内側に折畳んだ上、前記突片２３ａどうしを治具で連結固定する。
なお、前記治具はＬ字形治具５１からなり、その縦断面はＵ字状で係合部５２を形成しており、前記突片２３ａの上からＵ溝にはめ込んで連結固定するものである。５３はＬ字形治具５１のＬ字部分の上端の間を連結した補強板で、Ｌ字形治具５１をＬ字に保持するためのものである。
【００１９】
また、第１および第２の側面パーツ１１，２１の下部の接合部分に近接した位置に設けた、矩形の治具挿入孔からなる治具挿入部１４，２４に、前記Ｌ字形治具５１の係合部５２をはめ込んで連結固定する。
最後に、前記第１の側面パーツ１１と前記第２の側面パーツ２１からなる四周の側壁を備えた壁体は、その内側に床パーツ４１を敷設すれば完成である。
【００２０】
図１０に示すこの考案の避難所用簡易型間仕切りの完成状態において、利用者は側面に開閉可能な扉１５，２５を備えた前記第１および第２の側面パーツ１１，２１の扉１５，２５を押し開いて中に入り、また中から扉１５，２５を押し開いて外に出ればよい。このように組立が簡単なだけでなく、出入りが極めて自由なこともこの考案の避難所用簡易型間仕切りの大きなメリットである。
この考案の避難所用簡易型間仕切りによれば、十分に利用者のプライバシーが保たれ、長期間の避難生活におけるストレスをかなりの程度緩和することができる。
【産業上の利用可能性】
【００２１】
この考案の避難所用簡易型間仕切りはもちろん、避難所において使用することを主眼としたものであるが、災害時の避難所用としてのみならず、体育館等における着替えブースとして、あるいはその他のプライバシー保護を求められる種々の用途に使用することができるのはいうまでもない。
【符号の説明】
【００２２】
１０  組付けパーツ
１１  第１の側面パーツ
１２  差込片
１３  突片
１４  治具挿入部
１５  扉
２０  組付けパーツ
２１  第２の側面パーツ
２２  差込孔
２３  突片
２３ａ 両側端部の突片
２３ｂ 折畳み部
２４  治具挿入部
２５  扉
３１  天板パーツ
３２  差込孔
３２ａ  差込孔
４１  床パーツ
５１  Ｌ字形治具
５２  係合部
５３  補強板
【図１】
0003162088.tif 000003
【図２】
0003162088.tif 000004
【図３】
0003162088.tif 000005
【図４】
0003162088.tif 000006
【図５】
0003162088.tif 000007
【図６】
0003162088.tif 000008
【図７】
0003162088.tif 000009
【図８】
0003162088.tif 000010
【図９】
0003162088.tif 000011
【図１０】
0003162088.tif 000012